【手続補正書】
【提出日】平成24年5月30日(2012.5.30)
【手続補正１】
【補正対象書類名】特許請求の範囲
【補正対象項目名】全文
【補正方法】変更
【補正の内容】
【特許請求の範囲】
【請求項１】
認証対象者から生体情報を取得する認証端末装置と予め登録された照合用生体情報を記憶するサーバ装置とを有しており、認証対象者から取得した前記生体情報と前記照合用生体情報との照合を行う生体照合システムであって、
前記認証端末装置が所属するグループを予め定めたグループ情報を複数グループ分記憶するグループ情報記憶手段と、
所定の登録要件を満たした場合に、特定の認証対象者に対する前記照合用生体情報を所望のグループ情報に基づいて前記所望のグループに所属する前記認証端末装置へ登録する登録制御手段と、
所定の削除要件を満たした場合に、前記登録制御手段によって所望のグループに所属する認証端末装置へ登録された前記照合用生体情報を削除する削除制御手段と
を備えたことを特徴とする生体照合システム。
【請求項２】
前記登録制御手段は、
前記認証端末装置によって取得された前記生体情報と前記照合用生体情報との前記照合に成功した場合に、当該生体情報を取得した認証対象者に対する前記照合用生体情報を、当該認証端末装置と同一の前記グループに所属する前記認証端末装置へ登録することを特徴とする請求項１に記載の生体照合システム。
【請求項３】
前記登録制御手段は、
所定の端末装置または前記認証端末装置から登録指示を受け付けた場合に、当該登録指示によって指定された認証対象者に対する前記照合用生体情報を当該登録指示によって指定された前記所望のグループに所属する前記認証端末装置へ登録することを特徴とする請求項１または２に記載の生体照合システム。
【請求項４】
前記削除制御手段は、
前記登録制御手段によって前記所望のグループに所属する前記認証端末装置へ前記照合用生体情報が登録された認証対象者に関し、当該グループに所属する所定の前記認証端末装置において前記照合に成功した場合、または、当該グループ以外の他グループに所属する所定の前記認証端末装置において前記照合に成功した場合に、当該認証対象者の前記照合用生体情報を当該グループに所属する前記認証端末装置から削除することを特徴とする請求項１、２または３に記載の生体照合システム。
【請求項５】
前記削除制御手段は、
前記登録制御手段によって所望のグループに所属する前記認証端末装置へ前記照合用生体情報が登録された認証対象者に関し、当該グループに所属する所定の前記認証端末装置において前記照合に成功し且つ前記認証対象者の離脱を検知した場合、または、当該グループ以外の他のグループに所属する所定の前記認証端末装置において前記照合に成功した場合に、当該認証対象者の前記照合用生体情報を当該グループに所属する前記認証端末装置から削除することを特徴とする請求項１〜４のいずれか一つに記載の生体照合システム。
【請求項６】
認証対象者から生体情報を取得する認証端末装置と予め登録された照合用生体情報を記憶するサーバ装置に適用され認証対象者から取得した前記生体情報と前記照合用生体情報との照合を行う生体照合方法であって、
前記認証端末装置が所属するグループを予め定めたグループ情報を複数グループ分記憶するグループ情報記憶工程と、
所定の登録要件を満たした場合に、特定の認証対象者に対する前記照合用生体情報を所望のグループ情報に基づいて前記所望のグループに所属する前記認証端末装置へ登録する登録制御工程と、
所定の削除要件を満たした場合に、前記登録制御工程によって所望のグループに所属する認証端末装置へ登録された前記照合用生体情報を削除する削除制御工程と
を含んだことを特徴とする生体照合方法。
【手続補正２】
【補正対象書類名】明細書
【補正対象項目名】００１１
【補正方法】変更
【補正の内容】
【００１１】
上述した課題を解決し、目的を達成するために、本発明は、認証対象者から生体情報を取得する認証端末装置と予め登録された照合用生体情報を記憶するサーバ装置とを有しており、認証対象者から取得した前記生体情報と前記照合用生体情報との照合を行う生体照合システムであって、前記認証端末装置が所属するグループを予め定めたグループ情報を複数グループ分記憶するグループ情報記憶手段と、所定の登録要件を満たした場合に、特定の認証対象者に対する前記照合用生体情報を所望のグループ情報に基づいて前記所望のグループに所属する前記認証端末装置へ登録する登録制御手段と、所定の削除要件を満たした場合に、前記登録制御手段によって所望のグループに所属する認証端末装置へ登録された前記照合用生体情報を削除する削除制御手段を備えたことを特徴とする。このように、認証装置で生体認証を行う際に照合する認証対象者の生体情報を、必要な時にサーバから取得して保持し、所定の条件を満たした場合に削除することによって、各認証装置で必要とする記憶容量を抑えるとともに、認証対象者の利便性を損なうことなく、生体認証の処理速度を速くすることができるという効果を奏する。また、たとえば、ある場所に常勤している社員が、異なる場所へ訪問した際にも、訪問先の生体照合システムを利用することができるなど、セキュリティの向上に繋がるという効果を奏する。
【手続補正３】
【補正対象書類名】明細書
【補正対象項目名】００１３
【補正方法】変更
【補正の内容】
【００１３】
また、本発明は、前記登録制御手段は、所定の端末装置または前記認証端末装置から登録指示を受け付けた場合に、当該登録指示によって指定された認証対象者に対する前記照合用生体情報を当該登録指示によって指定された前記所望のグループに所属する前記認証端末装置へ登録することを特徴とする。このように、照合用生体情報を予め登録しておくことによって、サーバ装置にアクセスすることなく、認証端末装置だけを使用して生体認証をすることができるので、認証にかかる時間および通信負荷を軽減することができるという効果を奏する。
【手続補正４】
【補正対象書類名】明細書
【補正対象項目名】００１４
【補正方法】変更
【補正の内容】
【００１４】
また、本発明は、前記削除制御手段は、前記登録制御手段によって前記所望のグループに所属する前記認証端末装置へ前記照合用生体情報が登録された認証対象者に関し、当該グループに所属する所定の前記認証端末装置において前記照合に成功した場合、または、当該グループ以外の他グループに所属する所定の前記認証端末装置において前記照合に成功した場合に、当該認証対象者の前記照合用生体情報を当該グループに所属する前記認証端末装置から削除することを特徴とする。このように、不要になった照合用生体情報を削除することによって、各認証装置で必要とする記憶容量を抑えることができるという効果を奏する。
【手続補正５】
【補正対象書類名】明細書
【補正対象項目名】００１５
【補正方法】変更
【補正の内容】
【００１５】
また、本発明は、前記削除制御手段は、前記登録制御手段によって所望のグループに所属する前記認証端末装置へ前記照合用生体情報が登録された認証対象者に関し、当該グループに所属する所定の前記認証端末装置において前記照合に成功し且つ前記認証対象者の離脱を検知した場合、または、当該グループ以外の他のグループに所属する所定の前記認証端末装置において前記照合に成功した場合に、当該認証対象者の前記照合用生体情報を当該グループに所属する前記認証端末装置から削除することを特徴とする。このように、所定の時間が経過した場合に、照合用生体情報を削除することによって、たとえば、昼食時等で一時的に退出した際に、照合用生体情報が削除されることはないので、所定の時間内に再入室する際の認証にかかる時間および通信負荷を軽減することができるという効果を奏する。
【手続補正６】
【補正対象書類名】明細書
【補正対象項目名】０１３７
【補正方法】変更
【補正の内容】
【０１３７】
なお、上述した実施例では、認証対象者の顔を撮像して、顔認証によって生体認証を行うようにしたが、他の身体的特徴、たとえば、指紋、掌紋、目の網膜の毛細血管のパターンや虹彩パターンの濃淡値等に基づいて認証を行ってもよく、また、音声受信機器を設け、受信した声紋に基づいて認証を行ってもよい。